【事件の表示】
　特願２０１０−５０８３１４「アンチグレアフィルム用組成物およびそれを用いて製造したアンチグレアフィルム」拒絶査定不服審判事件〔平成２０年１１月２０日国際公開、ＷＯ２００８／１４０２８２、平成２２年　８月　５日国内公表、特表２０１０−５２７０４５〕について、次のとおり審決する。
【結　論】
　本件審判の請求は、成り立たない。
【理　由】
１　手続の経緯
　本願は、２００８年５月１６日（パリ条約による優先権主張外国庁受理２００７年５月１６日、韓国）を国際出願日とする出願であって、平成２４年５月２３日に手続補正がなされ、平成２４年１１月２１日付けで拒絶査定がなされ、これに対して、平成２５年３月２７日付けで拒絶査定不服審判が請求されたものである。
　
２　本願発明
　本願の請求項１ないし２８に係る発明は、平成２４年５月２３日付け手続補正によって補正された特許請求の範囲の請求項１ないし２８に記載された事項によって特定されるものであるところ、請求項１５に係る発明は、平成２４年５月２３日付け手続補正によって補正された明細書、特許請求の範囲及び図面の記載からみて、その請求項１５に記載されたとおりの次のものであると認める。
　
「バインダー樹脂および平均表面粗度［Ｒｚ］が０μｍより大きく２μｍ以下であるコア−シェル微粒子を含むアンチグレア層を含み、
　前記コア−シェル微粒子のコアは、有機物および無機物からなる群から選択された単一物またはこれらの複合体を含み、
　前記コア−シェル微粒子のシェルは、有機物および無機物からなる群から選択された単一物またはこれらの複合体を含み、前記コアを構成する物質とは相異なる物質から形成され、
　前記コア−シェル微粒子は、前記バインダー樹脂との平均屈折率差が０〜０．２であることを特徴とするアンチグレアフィルム。」（以下「本願発明」という。）
　
３　刊行物の記載事項
　原査定の拒絶の理由に引用された「本願の優先日前に頒布された刊行物である特開２００５−１７９２０号公報（以下「引用例」という。）」には、図とともに次の事項が記載されている。（下線は審決で付した。以下同じ。）
（１）「【００１８】
【発明の実施の形態】
＜光拡散剤＞
本発明による
光拡散剤は、透明基材
中に分散させて使用する光拡散剤であって、核粒子とこの核粒子の表面を覆うスキン層とからなり、
満足する
条件（イ）：
Ｎ１＜Ｎ２＜Ｎ３
（ここで、
Ｎ１は透明基材
の屈折率を、Ｎ２はスキン層の屈折率を、Ｎ３は核粒子の屈折率を、それぞれ意味する
条件（ロ）：
【数３】
（ここで、Ｒは核粒子の平均半径（単位：μｍ）を、Ｔはスキン層の厚さ（単位：μｍ）を、ｎは０以上の整数を、ψは０．４（単位：μｍ）を、λは０．７（単位：μｍ）を、それぞれ意味する）
【００１９】
一般に、屈折率はデュクドショルヌ法、ブラウンホーファ法、アッベ法、コールラウシュ法、ピュルフリッジ法、浸漬法等の測定法に従って可視光の波長領域内の波長を計測することができる。本発明では、上記のうちアッベ法を採用した。
【００２０】
以下に、本発明の条件（イ）および（ロ）等の要件の設定理由および本発明の原理の概要を必要に応じて図面を参照しながら説明する。
【００２１】
図１には、
透明基材（Ａ）
核粒子（ｂ２）
スキン層（ｂ１）とからなる光拡散剤（Ｂ）
【００２２】
図１中、
この透明基材（Ａ）の屈折率は（Ｎ１）で、スキン層（ｂ１）の屈折率は（Ｎ２）で、核粒子（ｂ２）の屈折率は（Ｎ３）で
【００２３】
図１の光拡散シートにおいて、白矢印に示されるようにその左方から光拡散シートに入射した光は、界面（Ｓ１）、界面（Ｓ２）および界面（Ｓ３）で、それぞれ反射光（黒矢印）を生じさせる。なお、ここでは説明の簡略化のために、粒子状の拡散剤の一部分の平面に近似される面に垂直に光が入射されたきの垂直方向に反射される反射光について言及した。
【００２４】
一般に、透明基材中に光拡散剤を分散させてなる光拡散シートにおいては、通常は透明基材表面（Ｓ１）での反射も小さくすることが望まれるので、透明基材の屈折率（Ｎ１）＜核粒子の屈折率（Ｎ３）の関係が成立し、かつ透明基材の屈折率（Ｎ１）が小さいことが望まれている。尚、例えば核粒子が低屈折率材料を要望されるような場合や、液体中での使用等で透明基材そのものの反射がさほど問題とならない様な場合には、核粒子の屈折率を小さくして、Ｎ３＜Ｎ２＜Ｎ１とすることも可能である。
【００２５】
光が光拡散剤に照射された場合、その光の一部は界面（Ｓ２）で反射され、また残りの大部分の光はスキン層（ｂ１）中をその厚さ（Ｔ）分透過したのち、その一部が界面（Ｓ３）で反射され、再度スキン層（ｂ１）中をその厚さ（Ｔ）分透過したのち、界面（Ｓ２）を透過する。よって、この光拡散剤によって、光入射方向への反射光には、界面（Ｓ２）での反射光および界面（Ｓ３）での反射光が含まれることになる。入射する光の波長は、界面（Ｓ２）での反射によっても、界面（Ｓ３）での反射によっても実質的に変更されないので、界面（Ｓ２）での反射光と界面（Ｓ３）での反射光とは、実質的に同波長の光と捉えることができる。
【００２６】
一方、光の反射波形の姿は、界面（Ｓ２およびＳ３の両方とも）での反射により、それぞれの入射光に対して反転したものとなる。よって、界面（Ｓ２）での反射による波形の反射光と、界面（Ｓ３）での反射による波形の反射光の両者が混在したものが観察されることになる。
【００２７】
本発明は、
透明基材とスキン層との界面（Ｓ２）での反射光と、スキン層と核粒子との界面（Ｓ３）での反射光とを干渉させることによって、観察される反射光量が低減される、という知見に着目して
【００２８】
従って、本発明においては、
スキン層の厚さ（Ｔ）
【数４】
（ここで、Ｒは核粒子の平均半径（単位：μｍ）を、Ｔはスキン層の厚さ（単位：μｍ）を、ｎは０以上の整数を、ψは０．４（単位：μｍ）を、λは０．７（単位：μｍ）を、それぞれ意味する）
【００２９】
  ところで、
界面（Ｓ２）での反射光と界面（Ｓ３）での反射光との干渉は、２Ｔが入射光の波長の１／２、３／２、５／２、７／２  ………  である場合（即ち、Ｔが入射光の波長の１／４、３／４、５／４、７／４  ………  の場合）に観察される
Ｎ２＝√（Ｎ１×Ｎ３）なる屈折率（Ｎ２）を持つスキン層材料をスキン層の厚さ（Ｔ）を１／４波長とすることで、界面（Ｓ２）と（Ｓ３）による反射光同士の干渉を効果的に生じさせることにより、結果的に好ましくない反射を抑制ないし無くすことができる
【００３０】
  
プロジェクター用の光拡散シート用途としては、波長４００〜７００ｎｍの可視光について効果的に反射防止がなされれば十分であることから、スキン層の厚さ（Ｔ）の最大値は
０．１７５μｍ
スキン層の厚さ（Ｔ）の最小値は
コアの粒径
コアが１０μｍの場合には０．０７１μｍとな
【００３１】
核粒子の平均半径Ｒは、
平均粒径が１μｍ未満であると、波長依存性の影響から黄味色が出てしまうことがあり、一方、３０μｍ超過では画像が荒れる傾向が生じる
【００３２】
  本発明の光拡散剤としては、前記条件（イ）および（ロ）に加え、下記条件（ハ）を更に満足するものが好ましい。
    条件（ハ）：｜Ｎ１−Ｎ３｜  ＞  ０．０４
【００３３】
透明基材の屈折率（Ｎ１）と核粒子の屈折率（Ｎ３）との間の屈折率差が小さい場合には光拡散剤としての効果が少ないことと、スキン層による反射防止効果が乏しくなることから、本発明による光拡散剤は上記条件（ハ）を満足することが好ましい。
【００３４】
本発明において、核粒子を構成する材料としては、従来からこの種の光拡散シートにおいて光拡散剤として用いられている、無機系および有機系の材料を使用することができる。例えば、硫酸バリウム、炭酸カルシウム、酸化チタン、ガラス等の無機材料およびアクリル、スチレン、スチレン−アクリル樹脂、メラミン樹脂などの有機材料を用いることができる。本発明においては、屈折率が１．４９〜１．７のもの、特に１．４９〜１．６の有機ビーズが屈折率の調整とスキン層の生成が容易なことから好ましい。
【００３５】
スキン層としては、上記本発明の条件（イ）が満足されて、本発明の効果が認められるものならば任意のものを使用することができる。例えば、フッ化マグネシウム、シリカ等の無機材料、フッ素樹脂、オレフィン樹脂、アクリル、アクリル‐スチレン共重合樹脂等の有機材料等を使用することができる。屈折率を所定のものとするために、各種の補助資材を配合したり、ナノバルーンスキン層中に形成することもできる。
【００３６】
核粒子表面にスキン層を形成する好ましい方法としては、核粒子表面にスキン層形成材料を蒸着、めっき等により付着させる方法、核粒子生成のための重合とスキン層形成のための重合操作を二段階で行なう二段階懸濁重合、マイクロカプセル法、エアロゾル界面活性剤による懸濁重合、核粒子表面にナノバルーンを吸着する方法等を例示することができる。
【００３７】
殊に、ナノを用いた懸濁重合により表面にナノ粒子のスキン層を設けた樹脂ビーズを得る方法は、前記ナノ粒子の屈折率をｎ１、樹脂ビーズの核材料の屈折率をｎ２とした場合、スキン層の屈折率は、条件によりナノ粒子が最密充填した（０．２６×ｎ２＋０．７４×ｎ１）から核粒子材料の屈折率ｎ２までの間のスキン層屈折率を持つ本発明の拡散剤を得ることが出来るのでより好ましい。ちなみに、例えば図３のように、表面に多段に充填されたナノ粒子の空隙に核粒子の樹脂が入り込むのでスキン層の屈折率は最密充填（空隙率２６％）からナノ粒子がほとんど無い空隙率１００％の間の屈折率になる。尚、スキン層の厚みは、重合条件と材料種類による。」
　
（２）「【００５２】
＜ノングレアーシート＞
本発明による
ノングレアーシート
実質的に透明な基板の観察側の最表面
に設けられた、透明基材
からなる被膜層中に、この被膜層の厚みよりも粒径が大きい前記の光拡散剤が分散されてなる
【００５３】
このような本発明によるノングレアーシートの好ましい具体例は、図４に示される通りのものである。この図４の
ノングレアーシート
実質的に透明な基板２の観察側の最表面
に設けられた、透明基材
からなる被膜層３中に、この被膜層３の厚み４よりも粒径が大きい本発明による光拡散剤５が分散されてなる
【００５４】
このように、被膜層の厚みより粒径が大きい本発明による光拡散剤を使用することで、表面に凹凸を持った拡散性能を持つマット状層が得られ、
表面の映り込み防止作用のあるコントラストの高いノングレアーシート
　
（３）「【００５５】
【実施例】
＜実施例１＞
屈折率１．６のメラミン樹脂ビーズ
０．１μｍの厚みの屈折率１．４５のシリカ粒子
粒径１０μｍ
スキン層の屈折率１．５４
屈折率１．４９のポリメチルメタクリレート
【００５６】
尚、上述のスキン層の屈折率は上記スキン層の断面写真から
シリカ粒子の充填率が４０％およびメラミン樹脂の充填率が６０％であ
【００５７】
このシートをボックスの中に入れたスライドプロジェクターを用いて映像を映し目視にて比較評価した結果、本発明による光拡散剤を用いてなる光拡散シートは、外光によるコントラスト低下が少なく、また、線画像もシャープに観察できた。」
　
（４）「【００５８】
【発明の効果】
本発明によれば、光拡散剤が特定の条件（イ）および（ロ）を満足するものであることから、光源の光量損失が少なく、拡散効率が良好で、明るくコントラストが良好な画像が得られ、さらに不要な散乱光が減少されることによって、画像の濁りや、ぼけがない、高品質の画像を表現可能な光拡散シートを得ることができる。
【００５９】
そして、
表面の映り込み防止作用のあるコントラストの高いノングレアーシート
　
（５）上記（１）ないし（４）からみて、引用例には、
「実質的に透明な基板２の観察側の最表面に設けられた、透明基材（Ａ）からなる被膜層３中に、この被膜層３の厚みよりも粒径が大きい光拡散剤５が分散されてなり、
　前記光拡散剤５は、核粒子（ｂ２）とこの核粒子の表面を覆うスキン層（ｂ１）とからなる光拡散剤（Ｂ）であり、
　透明基材（Ａ）の屈折率をＮ１、スキン層（ｂ１）の屈折率をＮ２、核粒子（ｂ２）の屈折率をＮ３とすると、Ｎ１＜Ｎ２＜Ｎ３を満たす、ノングレアーシートにおいて、
　透明基材（Ａ）とスキン層（ｂ１）との界面（Ｓ２）での反射光と、スキン層（ｂ１）と核粒子（ｂ２）との界面（Ｓ３）での反射光とを干渉させることによって、観察される反射光量が低減される、という知見に着目して、
　スキン層（ｂ１）の厚さをＴとすると、界面（Ｓ２）での反射光と界面（Ｓ３）での反射光との干渉は、２Ｔが入射光の波長の１／２、３／２、５／２、７／２  ………  である場合、即ち、Ｔが入射光の波長の１／４、３／４、５／４、７／４  ………  の場合に観察されることから、Ｎ２＝√（Ｎ１×Ｎ３）なる屈折率（Ｎ２）を持つスキン層材料をスキン層の厚さＴを１／４波長とすることで、界面（Ｓ２）と（Ｓ３）による反射光同士の干渉を効果的に生じさせることにより、結果的に好ましくない反射を抑制ないし無くすことで、表面の映り込み防止作用のあるコントラストの高いものとしたノングレアーシートであって、
　核粒子（ｂ２）の平均半径Ｒが１μｍ未満であると、波長依存性の影響から黄味色が出てしまうことがあり、一方、３０μｍ超過では画像が荒れる傾向が生じるので、核粒子（ｂ２）は、平均半径Ｒが３μｍ≦Ｒ≦１５μｍを満たすもの、具体的には、粒径１０μｍ程度のものとし、
　プロジェクター用の光拡散シート用途としては、波長４００〜７００ｎｍの可視光について効果的に反射防止がなされれば十分であることから、スキン層（ｂ１）の厚さＴが、０．０７１μｍ≦Ｔ≦０．１７５μｍを満たすものとし、
　具体的には、核粒子（ｂ２）を、粒径９．８（＝１０−０．１×２）μｍで屈折率１．６のメラミン樹脂ビーズとし、スキン層（ｂ１）を、屈折率１．４５のシリカ粒子の充填率が４０％であり、屈折率１．６のメラミン樹脂の充填率が６０％であり、屈折率が１．５４で厚みが０．１μｍの複合層とし、粒径を１０μｍとした光拡散剤（Ｂ）を用い、透明基材（Ａ）として屈折率１．４９のポリメチルメタクリレートを用いたノングレアーシート。」の発明（以下「引用発明」という。）が記載されているものと認められる。
　
４　対比・判断
　本願発明と引用発明とを対比する。
（１）引用発明の「透明基材（Ａ）」、「核粒子（ｂ２）」、「『透明基材（Ａ）からな』り、『被膜層３の厚みよりも粒径が大きい光拡散剤５が分散されてな』る『被膜層３』」、「ノングレアーシート」、「メラミン樹脂」及び「シリカ」は、それぞれ、本願発明の「バインダー樹脂」、「コア」、「アンチグレア層」、「アンチグレアフィルム」、「有機物」及び「無機物」に相当する。
　
（２）引用発明において、「被膜層３の厚みよりも粒径が大きい光拡散剤５」として用いられている「核粒子（ｂ２）とこの核粒子の表面を覆うスキン層（ｂ１）とからなる光拡散剤（Ｂ）」には、具体的には、「核粒子（ｂ２）を、粒径９．８（＝１０−０．１×２）μｍで屈折率１．６のメラミン樹脂ビーズとし、スキン層（ｂ１）を、屈折率１．４５のシリカ粒子の充填率が４０％であり、屈折率１．６のメラミン樹脂の充填率が６０％であり、屈折率が１．５４で厚みが０．１μｍの複合層とし、粒径を１０μｍとした光拡散剤（Ｂ）」が用いられているところ、「メラミン樹脂コアの表面にメラミン樹脂とシリカとの複合層を有するメラミン樹脂粒子」は、「コアーシェル型のメラミン樹脂粒子」と、またその「メラミン樹脂−シリカ複合層」は「シェル層」と、一般に呼ばれているから（特開２００５−１７１０３３号公報参照。）、引用発明の「核粒子（ｂ２）とこの核粒子の表面を覆うスキン層（ｂ１）とからなる光拡散剤（Ｂ）」及び「『屈折率１．４５のシリカ粒子の充填率が４０％であり、屈折率１．６のメラミン樹脂の充填率が６０％であり、屈折率が１．５４で厚みが０．１μｍの複合層と』した『スキン層（ｂ１）』」は、それぞれ、本願発明の「コア−シェル微粒子」及び「コア−シェル微粒子のシェル」に相当するといえる。
　
（３）ア　本願明細書の発明の詳細な説明には、本願発明の「平均表面粗度［Ｒｚ］」に関して、次の記載がある。
「【００３３】
　前記条件を満足するコア−シェル微粒子の例として、その直径３μｍのポリスチレン（屈折率：１．６）コアに１μｍ厚さのシリカ（屈折率：１．４６）シェルからなるコア−シェル微粒子の平均屈折率は１．４９であり、バインダー樹脂の屈折率は１．５１であって、その相対的な屈折率差は０．０２である場合を予定することができる。
　【００３４】
　前記コア−シェル微粒子は、下記数学式２のように計算される平均表面粗度［Ｒｚ］が０〜２μｍであり得る。
　【００３５】
　　【数１】
　この時、前記数学式２において、Ｒziは各表面凹凸の高さであり、ｎは表面凹凸の個数を示す。
　【００３６】
　ここで、
前記凹凸の高さは、
凹部の最低点から凸部の最高点までの距離である
　イ　引用発明の「コア−シェル微粒子（核粒子（ｂ２）とこの核粒子の表面を覆うスキン層（ｂ１）とからなる光拡散剤（Ｂ））」は、具体的には、「核粒子（ｂ２）を、粒径９．８（＝１０−０．１×２）μｍで屈折率１．６のメラミン樹脂ビーズとし、スキン層（ｂ１）を、屈折率１．４５のシリカ粒子の充填率が４０％であり、屈折率１．６のメラミン樹脂の充填率が６０％であり、屈折率が１．５４で厚みが０．１μｍの複合層とし、粒径を１０μｍとした光拡散剤（Ｂ）」が用いられていること、及び、光学フィルムに用いる樹脂ビーズは通常球形であることから、引用発明において、スキン層（ｂ１）表面の凹凸の高さ、つまりスキン層（ｂ１）表面の各凹凸部の凹部の最低点から凸部の最高点までの距離を、表面凹凸の個数だけ合計した値を、表面凹凸の個数ｎで割った値である平均表面粗度［Ｒｚ］（上記ア参照。）は、大きく見積もってもせいぜいスキン層（ｂ１）の厚み程度（０．１μｍ）であることは当業者に自明である。
　ウ　したがって、引用発明の「コア−シェル微粒子」と本願発明の「コア−シェル微粒子」とは、「平均表面粗度［Ｒｚ］が０μｍより大きく２μｍ以下である」点で一致するといえる。
　
（４）引用発明において、「アンチグレア層（被膜層３）」は、「バインダー樹脂（透明基材（Ａ））」からなり、「アンチグレア層」の厚みよりも粒径が大きい、「コア−シェル微粒子（核粒子（ｂ２）とこの核粒子の表面を覆うスキン層（ｂ１）とからなる光拡散剤（Ｂ））」である光拡散剤５が分散されてなるものであるから、上記（３）に照らせば、引用発明の「アンチグレア層」と本願発明の「アンチグレア層」とは、「バインダー樹脂および平均表面粗度［Ｒｚ］が０μｍより大きく２μｍ以下であるコア−シェル微粒子を含む」点で一致する。
　
（５）引用発明の「コア−シェル微粒子のコア（核粒子（ｂ２））」は、粒径９．８（＝１０−０．１×２）μｍで屈折率１．６の「有機物（メラミン樹脂）」ビーズであるから、本願発明の「『有機物および無機物からなる群から選択された単一物またはこれらの複合体を含』む『コア−シェル微粒子のコア』」と、「有機物の単一物を含」む点で一致する。
　
（６）引用発明の「コア−シェル微粒子のシェル（複合層としたスキン層（ｂ１））」は、屈折率１．４５の「無機物（シリカ）」粒子の充填率が４０％であり、屈折率１．６の「有機物（メラミン樹脂）」の充填率が６０％であり、屈折率が１．５４で厚みが０．１μｍの複合層としたものであるから、本願発明の「『有機物および無機物からなる群から選択された単一物またはこれらの複合体を含』む『コア−シェル微粒子のシェル』」と、「有機物の単一物および無機物の単一物の複合体を含」む点で一致する。そして、引用発明の「シェル」を構成する物質は「シリカ及びメラミン樹脂」であり、引用発明の「コア（核粒子（ｂ２））」を構成する物質は「メラミン樹脂」であるから、引用発明の「コア−シェル微粒子のシェル」と本願発明の「コア−シェル微粒子のシェル」とは「前記コアを構成する物質とは相異なる物質から形成され」る点で一致する。
　
（７）本願発明でいうところの「コア−シェル微粒子の平均屈折率」は、コアの半径をＲｃｏｒｅと、コア−シェル微粒子の半径をＲｃｏｒｅ―ｓｈｅｌｌと、コアの屈折率をｎｃｏｒｅと、シェルの屈折率をｎｓｈｅｌｌと、ｆｓｈｅｌｌ＝（Ｒ３ｃｏｒｅ―ｓｈｅｌｌ−Ｒ３ｃｏｒｅ）／Ｒ３ｃｏｒｅ―ｓｈｅｌｌかつｆｃｏｒｅ＝（Ｒｃｏｒｅ／Ｒｃｏｒｅ―ｓｈｅｌｌ）３とすると、［ｆｃｏｒｅｎ２ｃｏｒｅ＋ｆｓｈｅｌｌｎ２ｓｈｅｌｌ］０．５を計算して求めた値であり（本願明細書【００３１】〜【００３３】参照。）、引用発明の「コア−シェル微粒子（核粒子（ｂ２）とこの核粒子の表面を覆うスキン層（ｂ１）とからなる光拡散剤（Ｂ））」において、コアの半径Ｒｃｏｒｅは４．９μｍ、コア−シェル微粒子の半径Ｒｃｏｒｅ―ｓｈｅｌｌは５μｍ、コアの屈折率ｎｃｏｒｅは１．６、シェルの屈折率ｎｓｈｅｌｌは１．５４、ｆｓｈｅｌｌ＝（Ｒ３ｃｏｒｅ―ｓｈｅｌｌ−Ｒ３ｃｏｒｅ）／Ｒ３ｃｏｒｅ―ｓｈｅｌｌ＝（５３−４．９３）／５３＝０．０５８８、ｆｃｏｒｅ＝（Ｒｃｏｒｅ／Ｒｃｏｒｅ―ｓｈｅｌｌ）３＝（４．９／５）３＝０．９４１２であり、［ｆｃｏｒｅｎ２ｃｏｒｅ＋ｆｓｈｅｌｌｎ２ｓｈｅｌｌ］０．５＝［０．９４１２×１．６２＋０．０５８８×１．５４２］０．５＝１．５９６５≒１．６０であり、引用発明において、「バインダー樹脂（透明基材（Ａ））」としては屈折率１．４９のポリメチルメタクリレートを用いているから、引用発明の「バインダー樹脂（透明基材（Ａ））」の平均屈折率は１．４９であるので、引用発明において、「コア−シェル微粒子」の「バインダー樹脂」との平均屈折率差は、０．１１（＝１．６０−１．４９）である。
　したがって、引用発明の「コア−シェル微粒子」と本願発明の「前記バインダー樹脂との平均屈折率差が０〜０．２であるコア−シェル微粒子」とは、「前記バインダー樹脂との平均屈折率差が０．１１である」点で一致する。
　
（８）上記（１）ないし（７）からみて、本願発明と引用発明とは、
「バインダー樹脂および平均表面粗度［Ｒｚ］が０μｍより大きく２μｍ以下であるコア−シェル微粒子を含むアンチグレア層を含み、
　前記コア−シェル微粒子のコアは、有機物の単一物を含み、
　前記コア−シェル微粒子のシェルは、有機物の単一物および無機物の単一物の複合体を含み、前記コアを構成する物質とは相異なる物質から形成され、
　前記コア−シェル微粒子は、前記バインダー樹脂との平均屈折率差が０．１１であるアンチグレアフィルム。」の点で一致し、相違するところはない。
　したがって、本願発明は、引用発明と同一の発明であるから、引用例に記載された発明であり、本願の優先日前に頒布された刊行物に記載された発明である。
　
（９）上記（３）イにおいて、引用発明の光拡散剤（Ｂ）の平均表面粗度［Ｒｚ］が大きく見積もってもせいぜいスキン層（ｂ１）の厚み程度（０．１μｍ）であることが当業者に自明であるとまではたとえいえないとしても、防眩層に添加される光拡散剤として用いられている有機ビーズ等の粒子形状として真球が望ましいことは、本願の優先日前に周知であるから（以下「周知事項」という。例．国際公開第２００５／０９７４８３号（［００８８］参照。）、国際公開第２００６／０８８２０２号（［００３７］、［００４４］参照。）、国際公開第２００７／０２０９０９号（［００４２］参照。）、国際公開第２００７／０３２１７０（［００４４］、［００４６］参照。））、引用発明のメラミン樹脂ビーズを、真球あるいはほぼ真球となすことは、当業者が周知事項に基づいて適宜なし得た程度のことである。
　したがって、引用発明において、引用発明の光拡散剤（Ｂ）の平均表面粗度［Ｒｚ］を大きく見積もってもせいぜいスキン層（ｂ１）の厚み程度（０．１μｍ）となすことは当業者が周知事項に基づいて適宜なし得る程度のことである。
　そして、本願発明の奏する効果は、当業者が引用発明の奏する効果及び周知事項の効果に基づいて予測することができた程度のものである。
　したがって、上記（３）イにおいて、引用発明の光拡散剤（Ｂ）の平均表面粗度［Ｒｚ］が大きく見積もってもせいぜいスキン層（ｂ１）の厚み程度（０．１μｍ）であることは当業者に自明であるとまではいえないとしても、本願発明は、当業者が引用発明及び周知事項に基づいて容易に発明をすることができたものである。
　
５　むすび
　本願発明は、本願の優先日前に頒布された刊行物に記載された発明であるから、特許法第２９条第１項第３号の規定に該当し特許を受けることができない。
　また、上記（３）イにおいて、引用発明の光拡散剤（Ｂ）の平均表面粗度［Ｒｚ］が大きく見積もってもせいぜいスキン層（ｂ１）の厚み程度（０．１μｍ）であることは当業者に自明であるとまではいえないとしても、本願発明は、当業者が刊行物に記載された発明及び周知事項に基づいて容易に発明をすることができたものであるから、特許法第２９条第２項の規定により特許を受けることができない。
　よって、結論のとおり審決する。